(57)【要約】      （修正有）【課題】複数の装置が互いに通信するための接続パラメータの設定にかかる人為的ミス及び漏洩を防ぐことができる携帯端末装置を提供する。【解決手段】ネットワーク１５０を介して各医用情報処理装置間で通信を行うための接続パラメータを送受信する送受信部５０と、送受信部５０で受信した接続パラメータを保存する記憶部２０と、ユーザの操作を受け付ける操作部１０と、操作部１０への入力に応じて送受信部５０と記憶部２０とを制御する制御部９０とを備える。制御部９０は、医用画像データを送信する画像診断装置１２０に対して画像診断装置１２０と通信を行うための接続パラメータを要求する信号を送信し、その要求に応じて送信された接続パラメータを受信して記憶部２０に保存する処理と、医用画像データを受信する画像保管装置１３０に対して、記憶部２０に保存された接続パラメータを送信する処理とを行う。【選択図】図１
2018007113.tif 000002
【特許請求の範囲】
【請求項１】
ネットワークを介して各医用情報処理装置間で通信を行うための接続パラメータを送受信する送受信部と、
前記送受信部で受信した接続パラメータを保存する記憶部と、
ユーザの操作を受け付ける操作部と、
前記操作部への入力に応じて、前記送受信部と前記記憶部とを制御する制御部とを備え、
前記制御部は、
前記ネットワークを介して医用画像データを送信する第１の医用情報処理装置に対して、前記ネットワークを介して前記第１の医用情報処理装置と通信を行うための第１の接続パラメータを要求する信号を送信し、その要求に応じて送信された前記第１の接続パラメータを受信して前記記憶部に保存する第１の処理と、
前記ネットワークを介して前記医用画像データを受信する第２の医用情報処理装置に対して、前記記憶部に保存された前記第１の接続パラメータを送信する第２の処理と、を
行うものである携帯端末装置。
【請求項２】
前記接続パラメータは、ＤＩＣＯＭ通信を行うための接続パラメータであることを特徴とする請求項１記載の携帯端末装置。
【請求項３】
前記制御部は、
前記第２の医用情報処理装置から、前記第２の医用情報処理装置と通信を行うための第２の接続パラメータを受信して前記記憶部に保存する第３の処理と、
前記第１の医用情報処理装置に対して、前記記憶部に保存された前記第２の接続パラメータを送信する第４の処理と、を
行うものである請求項１又は請求項２記載の携帯端末装置。
【請求項４】
前記制御部は、前記第１及び前記第２の接続パラメータが前記第１の医用情報処理装置と前記第２の医用情報処理装置とが通信を行う接続パラメータとして妥当であるか否かを判定する第５の処理を行うものである請求項３記載の携帯端末装置。
【請求項５】
前記制御部は、前記第１及び前記第２の接続パラメータが妥当であると判定した場合、前記第２及び前記第４の処理を行うものである請求項４記載の携帯端末装置。
【請求項６】
現在位置を示す位置情報を取得する位置情報取得部を有し、
前記記憶部には、前記第１及び前記第２の接続パラメータを前記第１及び前記第２の医用情報処理装置に設定するためのアプリケーションソフトウエアと、前記第１及び前記第２の接続パラメータを前記第１及び前記第２の医用情報処理装置に設定する作業期間とが保存され、
前記制御部は、前記位置情報が所定の位置を示している場合及び前記作業期間内である場合、前記アプリケーションソフトウエアを起動して有効にする処理を行うものである請求項３乃至請求項５のいずれかに記載の携帯端末装置。
【請求項７】
前記記憶部には、前記第１及び前記第２の接続パラメータを前記第１及び前記第２の医用情報処理装置に設定する作業時間が保存され、
前記制御部は、前記アプリケーションソフトウエアを有効にする処理を行った後、前記位置情報が所定の位置から外れた位置を示している場合、前記作業期間外である場合又は前記アプリケーションソフトウエアを有効にしてからの経過時間が前記作業時間を超えている場合、前記アプリケーションソフトウエアを無効にする処理を行うものである請求項６記載の携帯端末装置。
【請求項８】
前記制御部は、前記第２及び前記第４の処理の時刻が前記作業期間内である場合、且つ、前記アプリケーションソフトウエアを有効にしてから前記時刻までの経過時間が前記作業時間内である場合、前記アプリケーションソフトウエアを前記記憶部から消去する処理を行うものである請求項７記載の携帯端末装置。
【請求項９】
前記制御部は、前記第１の接続パラメータの中に前記第２の医用情報処理装置との通信に必要な所定の接続パラメータがすべて含まれ、前記第２の接続パラメータの中に前記第１の医用情報処理装置との通信に必要な所定の接続パラメータがすべて含まれている場合、且つ、前記第２の医用情報処理装置との通信に必要な所定の接続パラメータのうちの特定の接続パラメータと前記第１の医用情報処理装置との通信に必要な所定の接続パラメータのうちの特定の接続パラメータとが一致している場合、前記第１及び前記第２の接続パラメータが妥当であると判定する処理を
行うものである請求項４記載の携帯端末装置。
【請求項１０】
前記制御部は、前記第２の医用情報処理装置との通信に必要な所定の接続パラメータが不足している場合に前記第１の接続パラメータが前記第２の医用情報処理装置と通信するための接続パラメータとして不当であると判定し、前記第１の医用情報処理装置との通信に必要な所定の接続パラメータが不足している場合に前記第２の接続パラメータが前記第１の医用情報処理装置と通信するための接続パラメータとして不当であると判定する処理を行うものである請求項９に記載の携帯端末装置。
【請求項１１】
前記制御部は、前記第２の医用情報処理装置との通信に必要な所定の接続パラメータが不足している場合に補充された接続パラメータを前記第１の医用情報処理装置に送信し、前記第１の医用情報処理装置との通信に必要な所定の接続パラメータが不足している場合に補充された接続パラメータを前記第２の医用情報処理装置に送信する処理を行うものである請求項９又は請求項１０に記載の携帯端末装置。
【請求項１２】
前記制御部は、前記第１の接続パラメータの中に前記第２の医用情報処理装置との通信に必要な所定の接続パラメータがすべて含まれ、前記第２の接続パラメータの中に前記第１の医用情報処理装置との通信に必要な所定の接続パラメータがすべて含まれている場合、前記第２の医用情報処理装置との通信に必要な所定の接続パラメータのうちの特定の接続パラメータと前記第１の医用情報処理装置との通信に必要な所定の接続パラメータのうちの特定の接続パラメータとが不一致であると、前記第２の医用情報処理装置との通信に必要な所定の接続パラメータのうちの特定の接続パラメータ又は前記第１の医用情報処理装置との通信に必要な所定の接続パラメータのうちの特定の接続パラメータの少なくともいずれか一方の接続パラメータが前記第１の医用情報処理装置と前記第２の医用情報処理装置とが通信するための接続パラメータとして不当であると判定する処理を
行うものである請求項９乃至請求項１１のいずれかに記載の携帯端末装置。
【請求項１３】
前記制御部は、前記第２の医用情報処理装置との通信に必要な所定の接続パラメータのうちの特定の接続パラメータと前記第１の医用情報処理装置との通信に必要な所定の接続パラメータのうちの特定の接続パラメータとが不一致である場合、一致するように修正された接続パラメータが前記第１の医用情報処理装置からの接続パラメータである場合に前記第１の医用情報処理装置に送信し、前記修正された接続パラメータが前記第２の医用情報処理装置からの接続パラメータである場合に前記第２の医用情報処理装置に送信する処理を行うものである請求項１２記載の携帯端末装置。
【発明の詳細な説明】
【技術分野】
【０００１】
本発明の実施形態は、医用画像データを生成する画像診断装置と、この画像診断装置と通信を行う必要のある装置との間で通信を可能とする接続パラメータの設定に用いる携帯端末装置に関する。
【背景技術】
【０００２】
検査の予約等の検査情報を管理する検査情報管理装置と、検査情報に基づいて検査毎に医用画像データを生成するＸ線診断装置、Ｘ線ＣＴ装置、ＭＲＩ装置、核医学診断装置等の画像診断装置との間、画像診断装置とこの画像診断装置で生成された医用画像データを保管する画像保管装置との間等の各２台の装置は、ネットワークでオンライン化されている。そして、ＤＩＣＯＭ（Ｄｉｇｉｔａｌ  Ｉｍａｇｉｎｇ  ａｎｄ  Ｃｏｍｍｕｎｉｃａｔｉｏｎ  ｉｎ  Ｍｅｄｉｃｉｎｅ）の規格に基づいて、各２台の装置間で通信して検査情報や医用画像データ等の医用情報の送受信を可能とするために、接続パラメータを各装置に設定する必要がある。
【先行技術文献】
【特許文献】
【０００３】
【特許文献１】特開２０１３−１７８６４４号公報
【発明の概要】
【発明が解決しようとする課題】
【０００４】
しかしながら、接続パラメータを設定する操作が各装置で異なるため、意図した装置間での医用情報の送受信異常や、意図しない装置間での医用情報の送受信を発生させる設定となる操作ミスを犯さないように細心の注意が必要である。また、外部出力された接続パラメータに基づいて各装置に設定する操作が行われるので、接続パラメータの第三者への漏洩を防ぐために細心の注意が必要である。
【０００５】
実施形態は、上記問題点を解決するためになされたもので、複数の装置が互いに通信するための接続パラメータの設定にかかる人為的ミス及び漏洩を防ぐことができる携帯端末装置を提供することを目的とする。
【課題を解決するための手段】
【０００６】
上記目的を達成するために、実施形態の携帯端末装置は、ネットワークを介して各医用情報処理装置間で通信を行うための接続パラメータを送受信する送受信部と、前記送受信部で受信した接続パラメータを保存する記憶部と、ユーザの操作を受け付ける操作部と、前記操作部への入力に応じて、前記送受信部と前記記憶部とを制御する制御部とを備え、前記制御部は、前記ネットワークを介して医用画像データを送信する第１の医用情報処理装置に対して、前記ネットワークを介して前記第１の医用情報処理装置と通信を行うための第１の接続パラメータを要求する信号を送信し、その要求に応じて送信された前記第１の接続パラメータを受信して前記記憶部に保存する第１の処理と、前記ネットワークを介して前記医用画像データを受信する第２の医用情報処理装置に対して、前記記憶部に保存された前記第１の接続パラメータを送信する第２の処理と、を行う。
【図面の簡単な説明】
【０００７】
【図１】実施形態に係る携帯端末装置の構成と、医療機関に設置されている各医用情報処理装置とを示すブロック図。
【図２】実施形態に係る一方及び他方の装置に接続パラメータを設定する携帯端末装置の動作を示すフローチャート。
【図３】実施形態に係る一方及び他方の装置に接続パラメータを設定する携帯端末装置の動作を示すフローチャート。
【図４】実施形態に係る表示部に一方の装置からの接続パラメータの収集を指示するメッセージが表示された画面の一例を示す図。
【図５】実施形態に係る表示部に各医用情報処理装置から接続パラメータを収集する操作の説明が表示された画面の一例を示す図。
【図６】実施形態に係る表示部に一方の装置からの接続パラメータを補充する接続パラメータが表示された画面の一例を示す図。
【図７】実施形態に係る表示部に他方の装置からの接続パラメータの収集を指示するメッセージが表示された画面の一例を示す図。
【図８】実施形態に係る表示部に他方の装置からの接続パラメータを補充する接続パラメータが表示された画面の一例を示す図。
【図９】実施形態に係る表示部に他方の装置からの接続パラメータを補充する接続パラメータが表示された画面の一例を示す図。
【図１０】実施形態に係る表示部に一方及び他方の装置からの接続パラメータの修正により一致する接続パラメータが表示された画面の一例を示す図。
【図１１】実施形態に係る表示部に一方及び他方の装置への接続パラメータの送信を指示するメッセージが表示された画面の一例を示す図。
【図１２】実施形態に係る表示部に他方の装置への接続パラメータの送信を指示するメッセージが表示された画面の一例を示す図。
【図１３】実施形態に係る表示部に一方及び他方の装置に接続パラメータが設定されたことを示すメッセージが表示された画面の一例を示す図。
【発明を実施するための形態】
【０００８】
以下、図面を参照して実施形態を説明する。
【０００９】
図１は、実施形態に係る携帯端末装置の構成と、医療機関に設置されている各医用情報処理装置とを示したブロック図である。この携帯端末装置１００は、ネットワーク１５０を介して各医用情報処理装置間で通信を行うための接続パラメータを設定するために用いられる。
【００１０】
医療機関には、予約された検査情報を管理する検査情報管理装置１１０、検査情報管理装置１１０の検査情報に基づいて医用画像データを生成するＸ線診断装置、Ｘ線ＣＴ装置、ＭＲＩ装置及び核医学診断装置等の画像診断装置１２０、画像診断装置１２０に生成された医用画像データを保管する画像保管装置１３０、画像診断装置１２０に生成された医用画像データの画像処理や画像保管装置１３０に保管された医用画像データを表示するワークステーション１４０等の各医用情報処理装置が設置されている。そして、各医用情報処理装置はネットワーク１５０で接続されている。
【００１１】
検査情報管理装置１１０と画像診断装置１２０、画像診断装置１２０と画像保管装置１３０、画像診断装置１２０又は画像保管装置１３０とワークステーション１４０等の各２台の医用情報処理装置は、携帯端末装置１００を用いて一方の装置が所持するネットワーク及びＤＩＣＯＭの接続パラメータを他方の装置に設定し、他方の装置が所持するネットワーク及びＤＩＣＯＭの接続パラメータを一方の装置に設定することにより、一方の装置と他方の装置間で通信を行うことができる。
【００１２】
ＤＩＣＯＭの接続パラメータには、例えば各医用情報処理装置を識別する「ＡＥ  Ｔｉｔｔｌｅ」（Ａｐｐｌｉｃａｔｉｏｎ  Ｅｎｔｉｔｙ）がある。また、検査情報を提供する「ＭＷＭ」（Ｍｏｄａｌｉｔｙ  Ｗｏｒｋｌｉｓｔ  Ｍａｎａｇｅｍｅｎｔ）、医用画像データを保管する「Ｓｔｏｒａｇｅ」等の２台の医用情報処理装置間で取り扱うサービスの種類を示す「Ｓｅｒｖｉｃｅ  Ｃｌａｓｓ」がある。また、２台の医用情報処理装置間で通信する医用画像データの符号化方法を定義する「Ｔｒａｎｓｆｅｒ  Ｓｙｎｔａｘ」がある。また、ネットワークの接続パラメータには、ＩＰアドレス、ホスト名、デフォルトゲートウエイ、サブネットマスク等がある。
【００１３】
ここで、画像診断装置１２０と検査情報管理装置１１０との間の「Ｓｅｒｖｉｃｅ  Ｃｌａｓｓ」として例えば「ＭＷＭ」を設定すると、検査情報管理装置１１０は検査情報を画像診断装置１２０に送信し、画像診断装置１２０は検査情報管理装置１１０から受信した検査情報に基づいて検査を行うことになる。
【００１４】
また、画像診断装置１２０と画像保管装置１３０に「Ｓｅｒｖｉｃｅ  Ｃｌａｓｓ」として「Ｓｔｏｒａｇｅ」を設定すると、画像診断装置１２０は医用画像データを画像保管装置１３０に送信し、画像保管装置１３０は画像診断装置１２０から受信した医用画像データを保管することになる。
【００１５】
携帯端末装置１００は、携帯端末装置１００を操作するユーザである操作者の指紋や静脈等の生体情報、ユーザ名やパスワードなどのユーザアカウント等の識別情報の入力、接続パラメータを一方及び他方の装置に設定するアプリケーションソフトウエアをインストールするための入力等を行う操作部１０を備えている。また、アプリケーションソフトウエア等を保存する記憶部２０を備えている。
【００１６】
また、携帯端末装置１００は、ＧＰＳや基地局からの情報を用いて現在の位置の位置情報を取得する位置情報取得部３０を備えている。また、操作部１０から入力された操作者の識別情報を予め登録された接続パラメータ設定の権限を有する操作者の識別情報と照合して認証する認証部４０を備えている。また、一方の装置に近接する位置又は所定の距離近づいた位置で、一方の装置との間で接続パラメータ等を無線で送受信し、他方の装置に近接する位置又は所定の距離近づいた位置で、他方の装置との間で接続パラメータ等を無線で送受信する送受信部５０を備えている。
【００１７】
また、携帯端末装置１００は、一方及び他方の装置から受信した接続パラメータが、一方の装置と他方の装置とが通信する接続パラメータとして妥当であるか否かを判定する判定部６０を備えている。また、判定部６０に不当と判定された接続パラメータの情報等を表示する表示部７０を備えている。また、操作部１０への入力に応じて、記憶部２０、位置情報取得部３０、認証部４０、送受信部５０、判定部６０及び表示部７０を制御して様々な処理を行う制御部９０を備えている。
【００１８】
記憶部２０は、医療機関の位置を示す位置情報を保存する位置情報記憶部２１を備えている。また、位置情報記憶部２１に位置情報が保存された医療機関の一方の装置と他方の装置とが通信する接続パラメータを一方及び他方の装置に設定するためのアプリケーションソフトウエア等を保存するアプリ記憶部２２を備えている。また、一方及び他方の装置から受信した接続パラメータや判定部６０で判定された接続パラメータを保存するパラメータ記憶部２３を備えている。
【００１９】
判定部６０は、一方の装置から受信した接続パラメータの中に他方の装置との通信に必要な所定の接続パラメータがすべて含まれ、他方の装置から受信した接続パラメータの中に一方の装置との通信に必要な所定の接続パラメータがすべて含まれている場合、且つ、他方の装置との通信に必要な所定の接続パラメータのうちの特定の接続パラメータと一方の装置との通信に必要な所定の接続パラメータのうちの特定の接続パラメータとが一致している場合、一方及び他方の装置から受信した接続パラメータが一方の装置と他方の装置とが通信するための接続パラメータとして妥当であると判定する。
【００２０】
また、判定部６０は、一方の装置から受信した接続パラメータでは他方の装置との通信に必要な所定の接続パラメータが不足している場合、一方の装置から受信した接続パラメータが他方の装置と通信するための接続パラメータとして不当であると判定する。この場合、表示部７０に接続パラメータの不足する部分の情報のみが表示され、操作部１０から接続パラメータの補充入力が行われると、一方の装置から受信した接続パラメータの中に他方の装置との通信に必要な所定の接続パラメータがすべて含まれることになる。また、他方の装置から受信した接続パラメータでは一方の装置との通信に必要な所定の接続パラメータが不足している場合、他方の装置から受信した接続パラメータが一方の装置と通信するための接続パラメータとして不当であると判定する。この場合、表示部７０に接続パラメータの不足情報が表示され、操作部１０から接続パラメータの補充入力が行われると、他方の装置から受信した接続パラメータの中に一方の装置との通信に必要な所定の接続パラメータがすべて含まれることになる。
【００２１】
更に、判定部６０は、一方の装置から受信した接続パラメータの中に他方の装置との通信に必要な所定の接続パラメータがすべて含まれ、他方の装置から受信した接続パラメータの中に一方の装置との通信に必要な所定の接続パラメータがすべて含まれている場合、他方の装置との通信に必要な所定の接続パラメータのうちの特定の接続パラメータと一方の装置との通信に必要な所定の接続パラメータのうちの特定の接続パラメータとが不一致であると、一方及び他方の装置から受信した接続パラメータが一方の装置と他方の装置とが通信するための接続パラメータとして不当であると判定する。この場合、表示部７０に接続パラメータの不一致に関連する情報のみが表示され、操作部１０から接続パラメータを一致させる修正入力が行われると、他方の装置との通信に必要な所定の接続パラメータのうちの特定の接続パラメータと一方の装置との通信に必要な所定の接続パラメータのうちの特定の接続パラメータとが一致することになる。
【００２２】
送受信部５０は、一方の装置に接続パラメータを要求する信号を送信し、その要求に応じて一方の装置から送信される接続パラメータを受信する。また、一方の装置から受信して、他方の装置と通信するための接続パラメータとして妥当であると判定部６０に判定された接続パラメータを、他方の装置に送信する。また、一方の装置から受信して判定部６０に不当であると判定された場合、操作部１０からの入力により補充又は修正された接続パラメータを一方の装置に送信する。
【００２３】
また、送受信部５０は、他方の装置に接続パラメータを要求する信号を送信し、その要求に応じて他方の装置から送信される接続パラメータを受信する。また、他方の装置から受信して、一方の装置と通信するための接続パラメータとして妥当であると判定部６０に判定された接続パラメータを、一方の装置に送信する。また、他方の装置から受信して判定部６０に不当であると判定された場合、操作部１０からの入力により補充又は修正された接続パラメータを他方の装置に送信する。
【００２４】
なお、一方の装置には、送受信部５０から無線で送信される接続パラメータを要求する信号を受信し、その要求に応じて接続パラメータを無線で送信する機能を有する。また、送受信部５０に送信して判定部６０に不当であると判定され、送受信部５０から無線で送信される操作部１０からの入力により補充又は修正された接続パラメータを受信する機能を有する。また、送受信部５０から無線で送信される、一方の装置と通信するための接続パラメータとして妥当であると判定部６０に判定された接続パラメータを受信する機能を有する。また、送受信部５０から送信された各接続パラメータを保存する機能を有する。
【００２５】
また、他方の装置には、送受信部５０から無線で送信される接続パラメータを要求する信号を受信し、その要求に応じて接続パラメータを無線で送信する機能を有する。また、送受信部５０に送信して判定部６０に不当であると判定され、送受信部５０から無線で送信される操作部１０からの入力により補充又は修正された接続パラメータを受信する機能を有する。また、送受信部５０から無線で送信される、他方の装置と通信するための接続パラメータとして妥当であると判定部６０に判定された接続パラメータを受信する機能を有する。また、送受信部５０から送信された各接続パラメータを保存する機能を有する。
【００２６】
このように、一方の装置から受信して他方の装置と通信するための接続パラメータとして妥当であると判定した接続パラメータを他方の装置に送信し、他方の装置から受信して一方の装置と通信するための接続パラメータとして妥当であると判定した接続パラメータを一方の装置に送信して設定することができる。
【００２７】
これにより、一方及び他方の装置から接続パラメータを出力させるための操作や一方及び他方の装置に接続パラメータを設定するための操作など、それぞれの装置によって異なる煩雑な操作を必要としないため、作業の手間を軽減して、人為的なミスを防ぐことができる。また、接続パラメータを不可視化して一方及び他方の装置に設定することができるため、接続パラメータの漏洩を防いでセキュリティを確保することができる。
【００２８】
以下、図１乃至図１３を参照して、一方の装置と他方の装置間で通信を行うための接続パラメータを設定する携帯端末装置１００の操作及び動作の一例について説明する。そして、以下では、送受信部５０と各一方及び他方の装置とが近接する位置で送受信を行う場合の例について述べる。
【００２９】
図２及び図３は、一方及び他方の装置に接続パラメータを設定する携帯端末装置１００の動作を示したフローチャートである。そして、図２は、一方及び他方の装置から接続パラメータを受信して必要な所定の接続パラメータが含まれているか否かを調べるステップを含むフローチャートを示している。また、図３は、必要な所定の接続パラメータのうちの特定の接続パラメータが一致しているか否かを調べるステップを含むフローチャートを示している。
【００３０】
医療機関の各医用情報処理装置の設置やメンテナンスを行い、接続パラメータの設定の権限を有する操作者により、操作部１０から操作者の生体情報又はユーザアカウントの少なくともいずれか１つの識別情報の入力が行われると、認証部４０は、前記操作者を認証する。次いで、医療機関の名称の入力、医療機関の例えば画像保管装置１３０を一方の装置とし、画像診断装置１２０を他方の装置として、両装置に接続パラメータを設定するためのアプリケーションソフトウエアを、操作者が所属するサービスセンターのサーバからインストールする入力、両装置に接続パラメータを設定する作業日の入力等が操作部１０から行われる。
【００３１】
操作部１０からの入力に応じて、送受信部５０は、医療機関の様々な情報を管理するサーバから送信されるアプリケーションソフトウエア、両装置への接続パラメータ設定の標準作業時間及び作業期間の情報を受信してアプリ記憶部２２に保存する。また、サーバから送信される医療機関の位置情報を受信して位置情報記憶部２１に保存する。
【００３２】
このように、携帯端末装置１００へのアプリケーションソフトウエアのインストールをサービスセンターで実施することで携帯端末装置１００としてのセキュリティを確保することができる。
【００３３】
医療機関へ移動した携帯端末装置１００の操作者により、操作部１０から識別情報の入力が行われると、携帯端末装置１００は、動作を開始する（ステップＳ１）。
【００３４】
制御部９０は、記憶部２０、位置情報取得部３０、認証部４０、送受信部５０、判定部６０及び表示部７０を制御する。そして、アプリ記憶部２２に保存されたアプリケーションソフトウエアを読み出して表示部７０にアプリケーションソフトウエアを起動させるためのアイコンを表示させる。
【００３５】
位置情報取得部３０は、現在の位置を示す位置情報を取得する。操作部１０からアプリケーションソフトウエアを起動させる入力が行われると、制御部９０は、位置情報取得部３０が取得した位置情報が位置情報記憶部２１に保存されている所定の医療機関の位置を示す位置情報であり、アプリ記憶部２２に保存された作業期間内である場合、作業開始の時刻としてカウントを開始する。そして、アプリ記憶部２２に保存されたアプリケーションソフトウエアを起動して有効にする（ステップＳ２）。
【００３６】
このように、アプリケーションソフトウエア起動のときの位置情報と時刻を、位置情報記憶部２１に保存された医療機関の位置情報とアプリ記憶部２２に保存された作業期間と照合して、アプリケーションソフトウエアを有効にすることができる。これにより、意図しない場所や意図しない時間での使用を防いで、携帯端末装置１００としてのセキュリティを確保することができる。
【００３７】
アプリケーションソフトウエアが有効になると、表示部７０は、一方の装置から接続パラメータの収集を指示するメッセージを表示する。
【００３８】
図４は、表示部７０に一方の装置からの接続パラメータの収集を指示するメッセージが表示された画面８１の一例を示した図である。この画面８１には、「接続を確立するには２台の機器が必要です。」、一方の装置からの接続パラメータの収集を指示するメッセージである例えば「現在情報を未収集です。１台目の情報を収集してください。」が表示されている。また、一方の装置の接続パラメータの受信を可能とする入力ボタンである「接続処理」が表示されている。また、接続パラメータの設定の作業を一端中断する場合の入力ボタンである「処理を止める」が表示されている。
【００３９】
ここで、画面８１に表示された「接続処理」の位置に例えばタッチして入力が行われると、送受信部５０は送受信可能となる。そして、図５に示すように、例えば「接続機器のサービスポートにタッチして、情報を取得してください。」等のメッセージを画面８２に表示する。
【００４０】
操作者が一方の装置の近傍まで移動して、携帯端末装置１００を一方の装置に近接させると、送受信部５０は、接続パラメータを要求する信号を一方の装置に送信する。一方の装置は送受信部５０からの送信に応じて、所持している接続パラメータを携帯端末装置１００に送信する。送受信部５０は、一方の装置から接続パラメータを受信する（ステップＳ３）。
【００４１】
パラメータ記憶部２３は、送受信部５０が一方の装置から受信した接続パラメータをパラメータ記憶部２３に保存する。判定部６０は、送受信部５０が一方の装置から受信した接続パラメータを調べる（ステップＳ４）。
【００４２】
ここでは、一方の装置から受信した接続パラメータの中に他方の装置との通信に必要な所定の接続パラメータがすべて含まれているか否かを調べる。そして、必要な所定の接続パラメータが不足している場合（ステップＳ５のはい）、判定部６０は一方の装置から受信した接続パラメータが他方の装置と通信するための接続パラメータとして不当であると判定する。そして、表示部７０に接続パラメータの不足情報を表示させ、操作者によって操作部１０から不足している接続パラメータを補充する入力が行われると、ステップＳ４に戻る。また、他方の装置との通信に必要な所定の接続パラメータがすべて含まれている場合（ステップＳ５のいいえ）、ステップＳ６に移行する。
【００４３】
図６は、表示部７０に一方の装置からの接続パラメータを補充する接続パラメータが表示された画面の一例を示した図である。この画面８３には、一方の装置から受信した必要な所定の接続パラメータのうち、不足している接続パラメータの種類及び補充入力された接続パラメータが表示されている。
【００４４】
不足している接続パラメータの種類として例えば「ＡＥ  Ｔｉｔｔｌｅ」、「Ｐｏｒｔ  Ｎｕｍｂｅｒ」及び「Ｓｔｏｒａｇｅ  Ｓｅｒｖｉｃｅ」が表示されている。また、「Ｓｔｏｒａｇｅ  Ｓｅｒｖｉｃｅ」として、選択入力可能な接続パラメータである「ＣＴ  Ｉｍａｇｅ」及び「ＭＲ  Ｉｍａｇｅ」が表示されている。
【００４５】
そして、一方の装置の「ＡＥ  Ｔｉｔｔｌｅ」として補充入力された「ＤＣＭ＿ＩＭＧＳＶＲ＿０１」がダイアログボックス内に表示されている。また、「Ｐｏｒｔ  Ｎｕｍｂｅｒ」として補充入力された「Ｓ００１」がダイアログボックス内に表示されている。また、「Ｓｔｏｒａｇｅ  Ｓｅｒｖｉｃｅ」として「ＣＴ  Ｉｍａｇｅ」が選択により補充入力されたことを示す「レ」が表示されている。また、補充入力された接続パラメータを適用する入力ボタンである「適用」及び補充入力された接続パラメータをキャンセルする入力ボタンである「Ｃａｎｃｅｌ」が表示されている。
【００４６】
このように、一方の装置から受信した接続パラメータを不可視化して不足している接続パラメータの情報のみ表示部７０に表示させることができる。これにより、一方の装置から受信した接続パラメータの第三者への漏洩を防ぐことができる。
【００４７】
ここで、画面８３に表示された「適用」に例えばタッチして入力が行われると、パラメータ記憶部２３は、一方の装置から受信した接続パラメータに補充入力された接続パラメータを追加保存する。
【００４８】
図２に示したステップＳ５の「いいえ」の後、他方の装置との通信に必要な所定の接続パラメータの中に補充入力された接続パラメータが含まれている場合（ステップＳ６のはい）、ステップＳ７に移行する。また、他方の装置との通信に必要な所定の接続パラメータの中に補充入力された接続パラメータが含まれていない場合（ステップＳ６のいいえ）、ステップＳ８に移行する。
【００４９】
ステップＳ６の「はい」の後、操作者が携帯端末装置１００を一方の装置に近接させると、送受信部５０は、補充入力された接続パラメータを一方の装置に送信する（ステップＳ７）。一方の装置は、送受信部５０からの送信により、他方の装置との通信に必要な所定の接続パラメータのうちの不足していた接続パラメータを追加保存する。
【００５０】
ステップＳ６の「いいえ」又はステップＳ７の後、表示部７０は、他方の装置から接続パラメータの収集を指示するメッセージを表示する。
【００５１】
図７は、表示部７０に他方の装置からの接続パラメータの収集を指示するメッセージが表示された画面の一例を示した図である。この画面８１ａには、「接続を確立するには２台の機器が必要です。」、一方の装置からの接続パラメータの収集を終了したことを示す「現在１台の情報を収集済みです。」、及び他方の装置からの接続パラメータの収集を指示する「２台目の情報を収集してください。」のメッセージが表示されている。また、他方の装置の接続パラメータの受信を可能とする入力ボタンである「接続処理」が表示されている。また、接続パラメータの設定の作業を一端中断する場合の入力ボタンである「処理を止める」が表示されている。
【００５２】
ここで、操作者が他方の装置の近傍まで移動して、画面８３に表示された「接続処理」の位置にタッチして入力が行われると、送受信部５０は送受信可能となる。そして、図５に示すように、一方の装置の場合と同様にして「接続機器のサービスポートにタッチして、情報を取得してください。」等のメッセージを画面８２に表示する。
【００５３】
操作者が他方の装置の近傍まで移動して、携帯端末装置１００を他方の装置に近接させると、送受信部５０は、接続パラメータを要求する信号を他方の装置に送信する。他方の装置は送受信部５０からの送信に応じて、所持している接続パラメータを携帯端末装置１００に送信する。送受信部５０は、他方の装置から接続パラメータを受信する（ステップＳ８）。
【００５４】
このように、一方の装置から接続パラメータを受信する操作と同様の操作により、他方の装置から接続パラメータを受信することができる。これにより、一方及び他方の装置から接続パラメータを出力させるための、それぞれの装置によって異なる煩雑な操作を必要としないため、作業の手間を軽減して、人為的なミスを防ぐことができる。
【００５５】
判定部６０は、送受信部５０が他方の装置から受信した接続パラメータを調べる（ステップＳ９）。ここでは、他方の装置から受信した接続パラメータの中に一方の装置との通信に必要な所定の接続パラメータがすべて含まれているか否かを調べる。
【００５６】
そして、必要な所定の接続パラメータが不足している場合（ステップＳ１０のはい）、他方の装置から受信した接続パラメータが一方の装置と通信するための接続パラメータとして不当であると判定する。そして、表示部７０に接続パラメータの不足情報を表示させ、操作者によって操作部１０から接続パラメータを補充する入力が行われると、ステップＳ９に戻る。また、一方の装置との通信に必要な所定の接続パラメータがすべて含まれている場合（ステップＳ１０いいえ）、ステップＳ１１に移行する。
【００５７】
図８は、表示部７０に他方の装置からの接続パラメータを補充する接続パラメータが表示された画面の一例を示した図である。この画面８４には、例えば一方の装置の「ＡＥ  Ｔｉｔｔｌｅ」としての「ＤＣＭ＿ＩＭＧＳＶＲ＿０１」が表示されている。また、他方の装置から受信した必要な所定の接続パラメータのうち、不足している接続パラメータの種類及び補充入力された接続パラメータが表示されている。
【００５８】
不足している接続パラメータの種類として例えば「ＡＥ  Ｔｉｔｔｌｅ」が表示されている。そして、他方の装置の「ＡＥ  Ｔｉｔｔｌｅ」として補充入力された「ＤＣＭ＿ＣＬＩＥＮＴ＿Ａ」がダイアログボックス内に表示されている。また、不足している接続パラメータの種類が「ＡＥ  Ｔｉｔｔｌｅ」以外にもあり、次の画面に切換可能であることを示す「次へ」の入力ボタンが表示されている。また、補充入力した接続パラメータをキャンセルするための入力ボタンである「Ｃａｎｃｅｌ」が表示されている。
【００５９】
このように、他方の装置から受信した接続パラメータを不可視化して不足している接続パラメータの情報のみ表示部７０に表示させることができる。これにより、他方の装置から受信した接続パラメータの第三者への漏洩を防ぐことができる。
【００６０】
ここで、画面８４に表示された「次へ」の位置に例えばタッチして入力が行われると、表示部７０に接続パラメータの不足情報を表示させ、操作者によって操作部１０から接続パラメータを補充する入力が行われる。
【００６１】
図９は、表示部７０に他方の装置からの接続パラメータを補充する接続パラメータが表示された画面の一例を示した図である。この画面８５には、不足している接続パラメータの種類が「Ｓｅｒｖｉｃｅ  Ｃｌａｓｓ」であることを示す「利用するサービスを選んでください。」のメッセージが表示されている。また、「Ｓｅｒｖｉｃｅ  Ｃｌａｓｓ」として、「Ｉｍａｇｅ  Ｓｔｏｒａｇｅ  Ｓｅｖｉｃｅ」、「Ｑｕｅｒｙ／Ｒｅｔｒｉｅｖｅ」、「ＭＷＭ」及び「ＭＰＰＳ」が選択入力可能に表示されている。
【００６２】
また、図８に示した画面８４に戻るための「戻る」の入力ボタンが表示されている。また、また、補充入力された接続パラメータを適用する入力ボタンである「適用」及び補充入力した接続パラメータをキャンセルする入力ボタンである「Ｃａｎｃｅｌ」が表示されている。
【００６３】
そして、「Ｓｅｒｖｉｃｅ  Ｃｌａｓｓ」として、「Ｉｍａｇｅ  Ｓｔｏｒａｇｅ  Ｓｅｖｉｃｅ」及び「Ｑｕｅｒｙ／Ｒｅｔｒｉｅｖｅ」が選択して補充入力されたことを示す「レ」がダイアログボックス内に表示されている。また、補充入力された「Ｉｍａｇｅ  Ｓｔｏｒａｇｅ  Ｓｅｖｉｃｅ」として、画像診断装置１２０の例えばＸ線ＣＴ装置から送信される医用画像データを保管することを示す「ＣＴ  Ｉｍａｇｅ」が補充入力されてダイアログボックス内に表示されている。
【００６４】
このように、他方の装置から受信した接続パラメータを不可視化して不足している接続パラメータの情報のみ表示部７０に表示させることができる。これにより、他方の装置から受信した接続パラメータの第三者への漏洩を防ぐことができる。
【００６５】
ここで、画面８５に表示された「適用」に例えばタッチして入力が行われると、パラメータ記憶部２３は、他方の装置から受信した接続パラメータに補充入力された接続パラメータを追加保存する。
【００６６】
図２に示したステップＳ１０の「いいえ」の後、一方の装置との通信に必要な所定の接続パラメータの中に補充入力された接続パラメータが含まれている場合（ステップＳ１１のはい）、ステップＳ１２に移行する。また、他方の装置との通信に必要な所定の接続パラメータの中に補充入力された接続パラメータが含まれていない場合（ステップＳ１１のいいえ）、図３のステップＳ１３に移行する。
【００６７】
ステップＳ１１の「はい」の後、操作者が携帯端末装置１００を他方の装置に近接させると、送受信部５０は、補充入力された接続パラメータ（補充パラメータ）を他方の装置に送信する（ステップＳ１２）。他方の装置は、送受信部５０からの送信により、一方の装置との通信に必要な所定の接続パラメータのうちの不足していた接続パラメータを追加保存する。
【００６８】
ステップＳ１１の「いいえ」又はステップＳ１２の後、判定部６０は、一方の装置から受信して他方の装置との通信に必要な所定の接続パラメータがすべて含まれている接続パラメータのうちの特定の接続パラメータと、他方の装置から受信して一方の装置との通信に必要な所定の接続パラメータがすべて含まれている接続パラメータのうちの特定の接続パラメータとの整合性を調べる（図３のステップＳ１３）。
【００６９】
そして、一方の装置との通信に必要な接続パラメータのうちの特定の接続パラメータと他方の装置との通信に必要な接続パラメータのうちの特定の接続パラメータとが一致している場合（ステップＳ１４のいいえ）、判定部６０は、一方の装置から受信して他方の装置との通信に必要な所定の接続パラメータがすべて含まれている接続パラメータ及び他方の装置から受信して一方の装置との通信に必要な所定の接続パラメータがすべて含まれている接続パラメータが、一方の装置と他方の装置とが通信するための接続パラメータとして妥当であると判定する。その後、ステップＳ１５に移行する。
【００７０】
また、一方の装置との通信に必要な接続パラメータのうちの特定の接続パラメータと他方の装置との通信に必要な接続パラメータのうちの特定の接続パラメータとが不一致である場合（ステップＳ１４のはい）、判定部６０は、一方の装置との通信に必要な接続パラメータのうちの特定の接続パラメータ又は他方の装置との通信に必要な接続パラメータのうちの特定の接続パラメータの少なくともいずれか一方の接続パラメータが、一方の装置と他方の装置とが通信するための接続パラメータとして不当であると判定する。そして、表示部７０に接続パラメータの不一致情報を表示させ、操作者によって操作部１０から不一致の接続パラメータを一致させる修正入力が行われると、ステップＳ１３に戻る。
【００７１】
図１０は、表示部７０に一方及び他方の装置からの接続パラメータの修正により一致する接続パラメータが表示された画面の一例を示した図である。この画面８６には、不一致の接続パラメータを一致させるためのメッセージである例えば「転送構文を選択してください。」が表示されている。また、一方の装置の「ＡＥ  Ｔｉｔｔｌｅ」を示す「ＤＣＭ＿ＩＭＧＳＶＲ＿０１」が表示され、他方の装置の「ＡＥ  Ｔｉｔｔｌｅ」を示す「ＤＣＭ＿ＣＬＩＥＮＴ＿Ａ」が表示されている。
【００７２】
また、不一致の接続パラメータが医用画像データの符号化方法を定義する「Ｔｒａｎｓｆｅｒ  Ｓｙｎｔａｘ」であり、一方及び他方の装置の「Ｔｒａｎｓｆｅｒ  Ｓｙｎｔａｘ」の種類として「Ｉｍｐｌｉｃｉｔ  ＶＲ  Ｌｉｔｔｌｅ  Ｅｎｄｉａｎ」及び「Ｅｘｐｌｉｃｉｔ  ＶＲ  Ｌｉｔｔｌｅ  Ｅｎｄｉａｎ」等が表示されている。
【００７３】
また、一致するように修正入力された接続パラメータを適用する入力ボタンである「適用」及び修正入力した接続パラメータをキャンセルする入力ボタンである「Ｃａｎｃｅｌ」が表示されている。
【００７４】
ここでは、一方の装置と他方の装置の「Ｔｒａｎｓｆｅｒ  Ｓｙｎｔａｘ」の種類が異なっていることを示す画面が表示された後、一方の装置の「Ｉｍｐｌｉｃｉｔ  ＶＲ  Ｌｉｔｔｌｅ  Ｅｎｄｉａｎ」と他方の装置の「Ｉｍｐｌｉｃｉｔ  ＶＲ  Ｌｉｔｔｌｅ  Ｅｎｄｉａｎ」を選択して一致させる修正入力が行われたことを示す「レ」が表示されている。
【００７５】
このように、一方及び他方の装置から受信した接続パラメータを不可視化して、不一致の接続パラメータの情報のみを表示部７０に表示させることができる。これにより、一方及び他方の装置から受信した接続パラメータの第三者への漏洩を防ぐことができる。
【００７６】
ここで、画面８６に表示された「適用」に例えばタッチして入力が行われると、パラメータ記憶部２３は、修正前の接続パラメータを修正入力された接続パラメータに置き換えて保存する。
【００７７】
図３に示したステップＳ１４の「いいえ」の後、一方及び他方の装置の通信に必要な接続パラメータの中に修正入力された接続パラメータが含まれている場合（ステップＳ１５のはい）、ステップＳ１６に移行する。また、一方及び他方の装置の通信に必要な接続パラメータの中に修正入力された接続パラメータが含まれていない場合（ステップＳ１５のいいえ）、ステップＳ１７に移行する。
【００７８】
ステップＳ１５の「はい」の後、操作者が携帯端末装置１００を接続パラメータが修正された一方又は他方の装置の少なくともいずれかの装置に近接させると、送受信部５０は、近接している装置に修正された接続パラメータ（修正パラメータ）を送信する（ステップＳ１６）。近接している装置は、修正前の接続パラメータを送受信部５０から送信された接続パラメータに置き換えて保存する。
【００７９】
ステップＳ１５の「いいえ」又はステップＳ１６の後、表示部７０は、一方及び他方の装置から接続パラメータの収集を終了したことを示すメッセージ、並びに一方の装置から受信して妥当であると判定された接続パラメータの他方の装置への送信及び他方の装置から受信して妥当であると判定された接続パラメータの一方の装置への送信を指示するメッセージを表示する。
【００８０】
図１１は、表示部７０に一方及び他方の装置への接続パラメータの送信を指示するメッセージが表示された画面の一例を示した図である。この画面８７には、一方及び他方の装置から接続パラメータの収集を終了したことを示す「接続情報適用」のメッセージが表示されている。また、一方の装置から受信して妥当であると判定された接続パラメータの他方の装置への送信及び他方の装置から受信して妥当であると判定された接続パラメータの一方の装置への送信を指示するメッセージとして例えば「以下のいずれかの機器のサービスポートにタッチしてください。  ―ＤＣＭ＿ＣＬＩＥＮＴ＿０１  ―ＤＣＭ＿ＣＬＩＥＮＴ＿Ａ」が表示されている。また、接続パラメータの設定の作業をキャンセルするための入力ボタンである「Ｃａｎｃｅｌ」が表示されている。
【００８１】
画面８７が表示された後、携帯端末装置１００を例えば他方の装置に近接させると、送受信部５０は、パラメータ記憶部２３に保存されている一方の装置から受信して妥当であると判定された接続パラメータを他方の装置に送信する（ステップＳ１７）。他方の装置は、送受信部５０から送信された接続パラメータを保存する。
【００８２】
他方の装置に送信された後、図１２に示すように、表示部７０の画面８８に他方の装置への接続パラメータの送信を指示する「以下の機器のサービスポートにタッチしてください。  ―ＤＣＭ＿ＣＬＩＥＮＴ＿Ａ」のメッセージが表示される。
【００８３】
ステップＳ１７の後、携帯端末装置１００を一方の装置に近接させると、送受信部５０は、パラメータ記憶部２３に保存されている他方の装置から受信して妥当であると判定された接続パラメータを一方の装置に送信する（ステップＳ１８）。一方の装置は、送受信部５０から送信された接続パラメータを保存する。
【００８４】
一方及び他方の装置に接続パラメータが送信されると、図１３に示すように、表示部７０の画面８９に一方及び他方の装置への接続パラメータの設定が終了したことを示す「接続処理が正しく適用されました。」等のメッセージが表示される。
【００８５】
このように、一方の装置から受信して妥当であると判定された接続パラメータを他方の装置に送信する操作と同様の操作により、他方の装置から受信して妥当であると判定された接続パラメータを一方の装置に送信することができる。これにより、一方及び他方の装置に接続パラメータを設定するための操作を、それぞれの装置によって異なる煩雑な操作を必要としないため、作業の手間を軽減して、人為的なミスを防ぐことができる。
【００８６】
制御部９０は、接続パラメータの設定が終了した時刻を作業終了の時刻として作業時間のカウントを停止して作業開始から作業終了までに要した作業所要時間を算出する。算出した作業所要時間がアプリ記憶部２２に保存されている標準作業時間内である場合、且つ、作業終了の時刻がアプリ記憶部２２に保存されている作業期間内である場合、アプリ記憶部２２に保存されているアプリケーションソフトウエアを消去する（図３のステップＳ２１）。
【００８７】
携帯端末装置１００は、制御部９０がアプリ記憶部２２に保存されたアプリケーションソフトウエアを消去することにより、動作を終了する（ステップＳ２０）。
【００８８】
なお、制御部９０は、アプリケーションソフトウエアを有効にした後、位置情報取得部３０が取得した位置情報が所定の医療機関の位置から外れた位置を示している場合、アプリ記憶部２２に保存されている作業期間外である場合又はアプリケーションソフトウエアを有効にしてからの経過時間がアプリ記憶部２２に保存されている標準作業時間を超えている場合、アプリケーションソフトウエアを無効にする。
【００８９】
このように、接続パラメータの設定が終了すると、アプリケーションソフトウエアをアプリ記憶部２２から消去することにより、携帯端末装置１００としてのセキュリティを確保することができる。また、アプリケーションソフトウエアを有効にした後、所定の医療機関の位置から外れた位置を示している場合、標準作業時間を超えている場合、又は作業期間外である場合、アプリケーションソフトウエアの機能を失効させることにより、意図しない場所や意図しない時間での使用を防いで、携帯端末装置１００としてのセキュリティを確保することができる。
【００９０】
以上述べた実施形態によれば、一方及び他方の装置から接続パラメータを受信して、一方の装置と他方の装置とが通信するための接続パラメータとして妥当であるか否かを判定することができる。そして、一方の装置から受信して他方の装置と通信するための接続パラメータとして妥当であると判定した接続パラメータを他方の装置に送信し、他方の装置から受信して一方の装置と通信するための接続パラメータとして妥当であると判定した接続パラメータを一方の装置に送信して、一方及び他方の装置に接続パラメータを設定することができる。
【００９１】
これにより、一方及び他方の装置から接続パラメータを出力させるための操作や一方及び他方の装置に接続パラメータを設定するための操作など、それぞれの装置によって異なる煩雑な操作を必要としないため、作業の手間を軽減して、接続パラメータの設定にかかる人為的なミスを防ぐことができる。また、接続パラメータを不可視化して一方及び他方の装置に設定することができるため、接続パラメータの漏洩を防いでセキュリティを確保することができる。
【００９２】
本発明のいくつかの実施形態を説明したが、これらの実施形態は、例として提示したものであり、発明の範囲を限定することを意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００９３】
２０  記憶部
３０  位置情報取得部
４０  認証部
５０  送受信部
６０  判定部
７０  表示部
１００  携帯端末装置
１１０  検査情報管理装置
１２０  画像診断装置
１３０  画像保管装置
１４０  ワークステーション
【図１】
2018007113.tif 000003
【図２】
2018007113.tif 000004
【図３】
2018007113.tif 000005
【図４】
2018007113.tif 000006
【図５】
2018007113.tif 000007
【図６】
2018007113.tif 000008
【図７】
2018007113.tif 000009
【図８】
2018007113.tif 000010
【図９】
2018007113.tif 000011
【図１０】
2018007113.tif 000012
【図１１】
2018007113.tif 000013
【図１２】
2018007113.tif 000014
【図１３】
2018007113.tif 000015